(57)【特許請求の範囲】
【請求項１】
人手で把持可能な外形をなす本体部と、前記本体部に内設した、ゲージ保持部と、移動部と、付勢部と、からなるピンゲージアダプターであって、
前記本体部は、先端にピンゲージを挿抜自在とするゲージ挿入孔を形成すると共に、外面には基準案内孔を穿設し、
前記ゲージ保持部は、ピンゲージを保持すると共にピンゲージの軸線方向に進退自在に形成し、
前記移動部は、前記ゲージ保持部の進退に連動しピンゲージの軸線方向に進退自在に形成すると共に、前記本体部の後端側に所定長さ移動すると前記基準案内孔から外部へ突出するよう形成した突出部を有し、
前記付勢部は、前記移動部の進退において前記移動部に前記本体部の後端側への移動に抗する付勢力を付与するよう構成したことを特徴とするピンゲージアダプター。
【請求項２】
前記基準案内孔は、前記本体部の後端面に形成したことを特徴とする請求項１に記載のピンゲージアダプター。
【請求項３】
前記基準案内孔は、前記本体部の周側面に形成したことを特徴とする請求項１又は２に記載のピンゲージアダプター。
【請求項４】
前記本体部は、前記先端の前記ゲージ挿入孔から後端に渡り貫通した中空状の本体基部と、前記本体基部の前記後端と着脱自在に形成した封止部と、からなることを特徴とする請求項１乃至３の何れか１項に記載のピンゲージアダプター。
【請求項５】
前記本体基部は、前記ゲージ挿入孔を含む先端側をなす挿入部と、前記挿入部と前記封止部との間隙をなす基部と、からなり、前記挿入部は前記基部と着脱自在に形成し、前記ゲージ保持部は磁石で形成し、前記付勢部は圧縮コイルバネで形成し、たことを特徴とする請求項４に記載のピンゲージアダプター。
【発明の詳細な説明】
【技術分野】
【０００１】
本発明は、手動によるピンゲージを用いた内径測定のバラツキをシンプルな構成で抑制できるピンゲージアダプターに関する。
【背景技術】
【０００２】
従来、精度が要求される加工部品に形成された各種の穴は、内径寸法に対応した種々のピンゲージを測定者が把持し、測定対象の穴の上方からピンゲージが負荷なく、また、ガタツキなく正確に挿入可能か否かにより内径寸法の合否を判断していた。
【０００３】
しかしながら、測定者自らが測定対象の穴にピンゲージを挿入するため、例えば、設計値よりも微妙に小径に加工された本来ならば不合格となる穴に対して、設計通りの直径を有するピンゲージの挿入力に負荷を掛ければ無理やりでも挿入できてしまう場合があり、測定者の習熟度や性格に一定程度左右されてしまうという問題を有している。
【０００４】
また、ピンゲージは人手で把持するだけで体温が伝わり微妙に膨張してしまうため、例えば、設計値通りの穴に対して設計通りの直径を有するピンゲージが挿入できないこともあり、上述した測定者の習熟度等と共に測定精度に複雑に影響を及ぼすことも懸念されていた。
【０００５】
このような状況において、熱伝導によるピンゲージの膨張に対してはピンゲージを熱伝導率の低い材料で被覆して把持することが一般的な作業として行われており、測定者の習熟度等による測定精度のバラツキについては以下のような技術が開示されている。
【０００６】
例えば、特許文献１に係る技術は、ピンゲージとピンゲージを装着する伝達ロッドと伝達ロッドをピンゲージの軸方向に摺動可能に保持するホルダで構成し、ピンゲージから伝達ロッドに伝えられるピンゲージ挿入力の検出部を備えたピンゲージ装置である。
【０００７】
本技術では、検出部をリミットスイッチやロードセルで構成することでピンゲージの挿入力を電気的に検出・判断させることで所定の挿入力を越えた場合に警報としてブザーを鳴らすよう構成している。
【０００８】
また、例えば、特許文献２に係る技術は、被測定物の穴内に挿入されるピンゲージが装着される装着部と、測定者または測定具保持器により把持される把持部との間に、所要の弾性力を有する弾性部材を介装した穴内寸法測定具である。
【０００９】
本技術では、弾性部材で規定された付勢力以下の挿入力でピンゲージを測定対象の穴に挿入させるよう構成している。
【先行技術文献】
【特許文献】
【００１０】
【特許文献１】実開昭６３−０５４００５号公報
【特許文献２】実開平０１−１５６４０１号公報
【発明の概要】
【発明が解決しようとする課題】
【００１１】
確かに特許文献１に記載の技術によれば、合否の判断がブザーにより報知される点で測定者の習熟度に関係なく簡便に判断できる点で優れているが、蓄電池等の電源の不具合やリミットセンサー等の電気部品の故障が生じても可及的にその不具合を認識できない結果、誤判定された製品が次工程に大量に流出してしまうというリスクを抱えている。
【００１２】
また、電気部品を用いることでピンゲージ装置自体がある程度高価なものとなってしまうため、測定者の人数や加工部品の穴の点数等により多くのピンゲージ装置を準備することが必要な場合に費用面で不利となってしまう。
【００１３】
また、特許文献２に記載の技術によれば、弾性部材で規定された付勢力以下の挿入力でピンゲージが測定対象の穴に挿入可能か否かにより合否の判断ができるとした点では理論的に優れているが、実際は弾性部材の付勢力の範囲内でピンゲージが測定具内を移動する正常な挿入力で測定している状況と、規定された付勢力を越えた挿入力、すなわち、測定具内でピンゲージがこれ以上移動できない状況の２つの状況を測定者が正確に判断できるような構成になっていない点で問題である。
【００１４】
従って、本測定具を用いて測定を行ったとしても、上述した２つの状況を判断するには測定者が本測定具を把持してピンゲージを測定対象の穴に挿入する際の抵抗力を加味した正常な挿入力とそれ以外の挿入力を測定者の手指の感覚で判断する必要があるため依然として測定者の習熟度や性格に一定程度左右されてしまうという問題が残ってしまう。
【００１５】
更には、ピンゲージを直接把持して測定を行なう場合は挿入力を直感的に習得し易いが、弾性部材を介在させることで余計なバイアスも含めて判断しなければならないため、取り扱いが非常に難しくなり測定のバラツキを改善させる程度の効果は期待できない。
【００１６】
この発明は、以上のような事情に鑑みてなされたものであり、シンプルな構成で安価に製造でき故障等の不具合を気にすることなく、しかも、合否の判断を測定者に容易且つ確実に知覚させることができるピンゲージアダプターを提供することにある。
【課題を解決するための手段】
【００１７】
以上のような目的を達成するために、本発明は以下の技術を提供する。
【００１８】
請求項１に係る発明では、人手で把持可能な外形をなす本体部と、前記本体部に内設した、ゲージ保持部と、移動部と、付勢部と、からなるピンゲージアダプターであって、前記本体部は、先端にピンゲージを挿抜自在とするゲージ挿入孔を形成すると共に、外面には基準案内孔を穿設し、前記ゲージ保持部は、ピンゲージを保持すると共にピンゲージの軸線方向に進退自在に形成し、前記移動部は、前記ゲージ保持部の進退に連動しピンゲージの軸線方向に進退自在に形成すると共に、前記本体部の後端側に所定長さ移動すると前記基準案内孔から外部へ突出するよう形成した突出部を有し、前記付勢部は、前記移動部の進退において前記移動部に前記本体部の後端側への移動に抗する付勢力を付与するよう構成したことを特徴とするピンゲージアダプターを提供せんとする。
【００１９】
請求項２に係る発明では、前記基準案内孔は、前記本体部の後端面に形成したことを特徴とする請求項１に記載のピンゲージアダプターを提供せんとする。
【００２０】
請求項３に係る発明では、前記基準案内孔は、前記本体部の周側面に形成したことを特徴とする請求項１又は２に記載のピンゲージアダプターを提供せんとする。
【００２１】
請求項４に係る発明では、前記本体部は、前記先端の前記ゲージ挿入孔から後端に渡り貫通した中空状の本体基部と、前記本体基部の前記後端と着脱自在に形成した封止部と、からなることを特徴とする請求項１乃至３の何れか１項に記載のピンゲージアダプターを提供せんとする。
【００２２】
請求項５に係る発明では、前記本体基部は、前記ゲージ挿入孔を含む先端側をなす挿入部と、前記挿入部と前記封止部との間隙をなす基部と、からなり、前記挿入部は前記基部と着脱自在に形成し、前記ゲージ保持部は磁石で形成し、前記付勢部は圧縮コイルバネで形成し、たことを特徴とする請求項４に記載のピンゲージアダプターを提供せんとする。
【発明の効果】
【００２３】
請求項１記載の発明によれば、人手で把持可能な外形をなす本体部と、本体部に内設した、ゲージ保持部と、移動部と、付勢部と、からなるピンゲージアダプターであって、本体部は、先端にピンゲージを挿抜自在とするゲージ挿入孔を形成すると共に、外面には基準案内孔を穿設し、ゲージ保持部は、ピンゲージを保持すると共にピンゲージの軸線方向に進退自在に形成し、移動部は、ゲージ保持部の進退に連動しピンゲージの軸線方向に進退自在に形成すると共に、本体部の後端側に所定長さ移動すると基準案内孔から外部へ突出するよう形成した突出部を有し、付勢部は、移動部の進退において移動部に本体部の後端側への移動に抗する付勢力を付与するよう構成したことより、シンプルな構成で安価に製造でき故障等の不具合を気にすることなく、しかも、本体部を把持した測定者の手指に突出部が触れることで規定以上の挿入力でピンゲージに負荷を付与していることが知覚できるので、測定者の習熟度等に依存せず合否の判断を容易且つ確実に行なうことができる。
【００２４】
請求項２記載の発明によれば、基準案内孔は、本体部の後端面に形成したことより、手指を後端面に当接させながら把持して測定を行うだけで規定以上の挿入力でピンゲージに負荷を付与すれば可及的に手指に突出部が触れるため合否の判断を容易且つ確実に行なうことができる。
【００２５】
請求項３記載の発明によれば、基準案内孔は、本体部の周側面に形成したことより、手指を周側面に当接させながら把持して測定を行うだけで規定以上の挿入力でピンゲージに負荷を付与すれば可及的に手指に突出部が触れるため合否の判断を容易且つ確実に行なうことができる。
【００２６】
請求項４記載の発明によれば、本体部は、先端のゲージ挿入孔から後端に渡り貫通した中空状の本体基部と、本体基部の後端と着脱自在に形成した封止部と、からなることより、本体基部の後端からゲージ保持部や移動部、付勢部等の構成部材を挿入して組付けることができ、更に、封止部によりこれら部材を本体部の内部に安定して内設することができる。
【００２７】
しかも、構成部材に不具合が生じた場合や、調整やメンテナンスの際に容易に分解して対応することができる。
【００２８】
請求項５記載の発明によれば、本体基部は、ゲージ挿入孔を含む先端側をなす挿入部と、挿入部と封止部との間隙をなす基部と、からなり、挿入部は基部と着脱自在に形成し、ゲージ保持部は磁石で形成し、付勢部は圧縮コイルバネで形成したことより、複数の穴径のゲージ挿入孔からなる挿入部を準備することで、使用するピンゲージの直径に適切に対応した挿入部を適宜装着して測定を行なうことができる。
【００２９】
また、磁性材からなるピンゲージを用いることでゲージ挿入孔からピンゲージを挿入してゲージ保持部に当接させるだけでピンゲージを本体部に保持させることができる。
【００３０】
更に、突出部が外部に突出して手指に触れるピンゲージの挿入力を規定する際、異なるバネ定数からなる圧縮コイルバネに置き換えるだけで容易に調整することができる。
【図面の簡単な説明】
【００３１】
【図１】本実施形態に係るピンゲージアダプターの使用状態を示す斜視説明図である。
【図２】本実施形態に係るピンゲージアダプターの分解斜視図である。
【図３】（ａ）、（ｂ）は本実施形態に係るピンゲージアダプターの断面図である。
【図４】（ａ）は測定時に突出部がゲージ挿入孔から突出しない状態を示す断面図で、（ｂ）は突出する状態を示す断面図である。
【図５】（ａ）は変形例に係るピンゲージアダプターの断面図で、（ｂ）は正面図である。
【図６】変形例に係るピンゲージアダプターの使用状態を示す斜視説明図である。
【図７】（ａ）は変形例に係るピンゲージアダプターの断面図で、（ｂ）は正面図である。
【図８】変形例に係るピンゲージアダプターの断面図である。
【図９】変形例に係るピンゲージアダプターの斜視図である。
【図１０】（ａ）は変形例に係るピンゲージアダプターの正面図で、（ｂ）は（ａ）のＡ−Ａ線断面図である。
【図１１】図１０（ａ）のＢ−Ｂ線断面図である。
【発明を実施するための形態】
【００３２】
本発明の実施形態に係るピンゲージアダプターの要旨は、人手で把持可能な外形をなす本体部と、本体部に内設した、ゲージ保持部と、移動部と、付勢部と、からなるピンゲージアダプターであって、本体部は、先端にピンゲージを挿抜自在とするゲージ挿入孔を形成すると共に、外面には基準案内孔を穿設し、ゲージ保持部は、ピンゲージを保持すると共にピンゲージの軸線方向に進退自在に形成し、移動部は、ゲージ保持部の進退に連動しピンゲージの軸線方向に進退自在に形成すると共に、本体部の後端側に所定長さ移動すると基準案内孔から外部へ突出するよう形成した突出部を有し、付勢部は、移動部の進退において移動部に本体部の後端側への移動に抗する付勢力を付与するよう構成したことを特徴とする。すなわち、シンプルな構成で安価に製造でき故障等の不具合を気にすることなく、しかも、合否の判断を測定者に容易且つ確実に知覚させることができるピンゲージアダプターの提供を図ろうとするものである。
【００３３】
以下、本発明に係るピンゲージアダプター１の一実施形態について図面を参照しながら説明する。また、本説明中において左右同一又は左右対称の構造や部品については、原則として同一の符号を付し、左右何れか一方のみを説明して、他方については説明を適宜省略する。
【００３４】
また、ピンゲージアダプター１の上下は、挿入されるピンゲージＰが位置する側が下方でありピンゲージアダプター１の先端側とし、反対側が上方であり後端側として説明する。
【００３５】
本発明の実施形態に係るピンゲージアダプター１は、図１〜図３（ａ）、（ｂ）に示すように、人手Ｈで把持可能な外形をなす本体部２と、本体部２に内設した、ゲージ保持部３１と、移動部３３と、付勢部４１と、からなるピンゲージアダプター１であって、本体部２は、先端にピンゲージＰを挿抜自在とするゲージ挿入孔５を形成すると共に、外面には基準案内孔２６を穿設し、ゲージ保持部３１は、ピンゲージＰを保持すると共にピンゲージＰの軸線方向に進退自在に形成し、移動部３３は、ゲージ保持部３１の進退に連動しピンゲージＰの軸線方向に進退自在に形成すると共に、本体部２の後端側に所定長さ移動すると基準案内孔２６から外部へ突出するよう形成した突出部３７を有し、付勢部４１は、移動部３３の進退において移動部３３に本体部２の後端側への移動に抗する付勢力を付与するよう構成している。
【００３６】
また、基準案内孔２６は、本体部２の後端面に形成すると共に、本体部２は、先端のゲージ挿入孔５から後端に渡り貫通した中空状の本体基部３と、本体基部３の後端と着脱自在に形成した封止部２４と、からなるよう構成している。
【００３７】
このように構成されたピンゲージアダプター１は、本体部２にピンゲージＰが装着され、例えば、図１に示すように親指ｆ１と中指ｆ３とで本体基部３を挟持しつつ人差指ｆ２を封止部２４に当接して把持し、下方の加工部品Ｗに穿設された測定対象の穴ｙに上方からピンゲージＰを挿入して使用される。
【００３８】
そして、測定対象の穴ｙがピンゲージＰの直径と同等以上の場合、ピンゲージＰの軸線方向には想定内の負荷しか付与されず、図４（ａ）に示すように本体部２の内部において移動部３３の上方への移動は限定的となり、封止部２４に形成された基準案内孔２６から突出部３７が突出することはなく、挿入しているピンゲージＰが測定対象の穴ｙと同等以下であることを判断することができる。
【００３９】
しかしながら、測定対象の穴ｙがピンゲージＰの直径よりも小さい場合、図４（ｂ）に示すように移動部３３に形成された突出部３７が封止部２４に形成された基準案内孔２６から上方に突出し測定者の人差指ｆ２に突出部３７が接触するため、挿入しているピンゲージＰが測定対象の穴ｙよりも大きいことを知覚的に判断することができる。
【００４０】
以下、本実施形態に係るピンゲージアダプター１の各部の構成について主に図２、図３を用いて具体的に詳述する。
【００４１】
本体部２を構成する本体基部３は、先端のゲージ挿入孔５から後端にかけて上下に貫通する中空状の円筒状で先端側を円錐台状とした砲弾型に形成し、後端側の内周壁に封止部２４の雄ネジ２８と螺合する雌ネジ１０を螺刻している。
【００４２】
また、雌ネジ１０から先端にかけての内周壁には、後述する樹脂ワッシャー４３、付勢部４１、移動部３３、ゲージ保持部３１を配設すると共にピンゲージＰが挿入可能なように内径の異なる３つの溝部８，１１，１２を形成している。
【００４３】
具体的には、雌ネジ１０の直下には本体基部３の後端側から挿入した樹脂ワッシャー４３の縁端部が当接載置するワッシャー溝１１を形成し、ワッシャー溝１１の下方には同様に後端側から挿入したゲージ保持部３１の縁端部が当接載置する摺動溝１２をワッシャー溝１１よりも若干だけ小さな内径で形成し、挿入したゲージ保持部３１の真上に付勢部４１を遊嵌した移動部３３が当接載置される。
【００４４】
また、摺動溝１２の直下には摺動溝１２よりも小さな内径で形成したゲージ挿入溝８を形成し、このゲージ挿入溝８はゲージ挿入孔５を開口とし、ゲージ挿入孔５自体は本体基部３の先端側のゲージ挿入溝８から外方に拡開したすり鉢状に形成している。
【００４５】
このように、雌ネジ１０、ワッシャー溝１１、摺動溝１２、ゲージ挿入溝８は、連通して本体基部３を貫通する。
【００４６】
また、封止部２４は、本体基部３の外径と略同等の直径からなる円盤状で中心部に基準案内孔２６を穿設すると共に縁端部を面取りした第一知覚部２５と、第一知覚部２５よりも小径で同心の円筒状に形成した係合部２７を第一知覚部２５の下底面に突設すると共に係合部２７の外周面に雄ネジ２８を螺刻している。
【００４７】
すなわち、封止部２４は、基準案内孔２６と係合部２７の内空間とが連通し上下に貫通するよう形成し、雄ネジ２８は、本体基部３の上述した雌ネジ１０と螺合して一体の本体部２を構成し、係合部２７の下端面でワッシャー溝１１に配設された樹脂ワッシャー４３の縁端部と当接して樹脂ワッシャー４３を本体部２内に略固定する。
【００４８】
樹脂ワッシャー４３は、合成樹脂材料からなり所定厚でドーナツ状に形成し、中央部に形成した摺動孔４４の内径は、移動部３３の上半部を構成する軸部３６の外径よりも若干だけ大きく、移動部３３に遊嵌した圧縮コイルバネからなる付勢部４１の外径よりも小さく形成し、移動部３３の上半部が摺動孔４４を介して上下摺動自在となるよう形成している。
【００４９】
なお、付勢部４１として異なるバネ定数の圧縮コイルバネを複数準備しておくことで、交換によりピンゲージＰの挿入力を容易に規定することができる。
【００５０】
移動部３３は、合成樹脂材料からなり、本体基部３の内部に形成した摺動溝１２の内径よりも若干だけ小径の直径からなる所定厚で円盤状の当接部３４と、当接部３４よりも小径で且つ樹脂ワッシャー４３に形成した摺動孔４４の内径よりも小径で当接部３４と同心の円柱状に形成した軸部３６と、軸部３６の直径よりも小径で且つ封止部２４に形成した基準案内孔２６の内径よりも若干だけ小径で軸部３６と同心の円柱状に形成した突出部３７とで断面視略逆Ｔ字状に形成している。
【００５１】
移動部３３は、突出部３７を上方とした逆Ｔ字状の状態で軸部３６の周面に付勢部４１を遊嵌したまま本体基部３の後端側から挿入され、次いで、摺動孔４４に軸部３６を挿通しつつ上方から挿入される樹脂ワッシャー４３により付勢部４１が樹脂ワッシャー４３の下底面と当接部３４の内側面との間で挟持されることで移動部３３が摺動溝１２内に略固定される。
【００５２】
なお、突出部３７、特にその周側面に着色を施すことで基準案内孔２６からの突出部３７の出現を目視にて視認し易く形成してもよい。
【００５３】
ゲージ保持部３１は、ネオジウム磁石からなり、本体基部３の内部に形成した摺動溝１２の内径よりも若干だけ小径の直径からなる所定厚で円盤状に形成し、本体基部３の後端側から摺動溝１２内に挿入される。
【００５４】
従って、上述した構成部材を組み付ける際は、まず、ゲージ保持部３１を摺動溝１２内に挿入した後、同じく摺動溝１２内のゲージ保持部３１の上方に付勢部４１を遊嵌した移動部３３を挿入し、次いで、樹脂ワッシャー４３の摺動孔４４に軸部３６を挿通しつつ樹脂ワッシャー４３をワッシャー溝１１内に挿入し、その後、封止部２４にて螺着して本実施形態に係るピンゲージアダプター１が完成する。
【００５５】
ピンゲージＰは、ゲージ挿入孔５からゲージ挿入溝８内に挿入され、ピンゲージＰの端部が磁力によりゲージ保持部３１と略接続される。
【００５６】
なお、本実施形態に係るピンゲージアダプター１は、ゲージ挿入溝８の内径をゲージ保持部３１の直径よりも若干だけ小径とすることでゲージ挿入溝８に挿入できる直径の異なるピンゲージＰの範囲を広げることができる。
【００５７】
すなわち、図３（ａ）に示すように、ゲージ挿入溝８の内径に適合したピンゲージＰ１から、図３（ｂ）に示すように、ゲージ挿入溝８の内径よりも大幅に小径のピンゲージＰ２までを一つのピンゲージアダプター１で対応することが可能となる。
【００５８】
このように形成することで、図４（ａ）に示すように、人差指ｆ２を封止部２４の第一知覚部２５の上面に当接させながら親指ｆ１と中指ｆ３とで挟持しつつ本体部２の周側面を把持して測定を行なえば、測定対象の穴ｙがピンゲージＰの直径と同等以上の場合、基準案内孔２６から突出部３７が人差指ｆ２に向かって突出することはなく、測定対象の穴ｙがピンゲージＰの直径よりも小さい場合、図４（ｂ）に示すように、基準案内孔２６から突出部３７が人差指ｆ２に向かって突出し人差指ｆ２に突出部３７が接触するため、挿入しているピンゲージＰが測定対象の穴ｙよりも大きいことを知覚的に判断することができる。
【００５９】
なお、測定対象の穴ｙが貫通孔でない場合、ピンゲージＰの挿入時に穴ｙ内の空気が逃げ難いことで挿入力が想定外に増加することを防止するため、ピンゲージＰの周側面において軸線方向に沿って上下に連続した凹状のエア抜き用の溝を形成したり、ピンゲージＰの軸線方向に貫通するエア抜き用の孔を設けたピンゲージＰを使用することもあるため、ゲージ保持部３１を構成するネオジウム磁石には、上下に貫通する小径の孔を穿設することや、ピンゲージＰと当接する表面に凹状の溝を形成してもよい。
【００６０】
次に、上述した本実施形態に係るピンゲージアダプター１の複数の変形例について具体的に詳述するが、同一の構成部材については同一の符号を用いて説明を適宜省略する。
【００６１】
図５（ａ）、（ｂ）に示すピンゲージアダプター１ａは、ワッシャー溝１１を摺動溝１２と一体に形成し、樹脂ワッシャー４３の直径を摺動溝１２の内径よりも若干だけ小径に形成することで樹脂ワッシャー４３を略固定せず、封止部２４の直下で付勢部４１の付勢力により摺動溝１２内に安定して配設されるよう構成している。
【００６２】
このように形成することで構成が更にシンプルとなり、本体基部３を廉価に製造することができる。
【００６３】
また、本体基部３は、ゲージ挿入孔５を含む先端側をなす挿入部４と、挿入部４と封止部２４との間隙をなす基部９と、からなり、挿入部４は基部９と着脱自在に形成している。
【００６４】
具体的には、基部９は外観視略円筒状に形成し、摺動溝１２から連通するゲージ挿入溝８の中途部、すなわち、ゲージ保持部３１の直下で基部９の先端側を、ゲージ挿入溝８よりも大径に形成し、その内周壁に挿入部４の挿入雄ネジ７と螺合する挿入雌ネジ１３を螺刻している。
【００６５】
挿入部４は、上部を基部９と略同径の円筒状とし下部を円錐台状として形成すると共に、上部の上面には基部９の直径よりも小径で同心の円筒状に形成した先端係合部６を突設すると共にその外周面に挿入雄ネジ７を螺刻し、挿入部４と基部９とを一体に螺合した際に全体が砲弾型となるよう形成している。
【００６６】
挿入部４は、ゲージ挿入孔５から先端係合部６の内空間を含めて上下に貫通したゲージ挿入溝８を形成することで、使用するピンゲージＰの直径に適合したゲージ挿入溝８で測定を実施したい場合、内径の異なるゲージ挿入溝８を形成した複数の挿入部４を準備しておけば、使用に応じて適宜容易に交換を行なうことが可能となる。
【００６７】
なお、挿入部４は、挿入雄ネジ７と挿入雌ネジ１３の螺合により基部９と脱着するのではなく、図８に示すピンゲージアダプター１ｃのように、基部９の先端側の外周面を切削して当該箇所にドーナツ形状の磁石１４を外嵌すると共に挿入部４を磁性材料で形成して磁力により脱着可能なよう構成してもよい。
【００６８】
この場合、基部９の先端面よりも磁石１４の表面が低くなるように形成して基部９の先端面が凸状となるよう形成し、その凸状となった部分が挿入部４の上面と略嵌合するように上面のゲージ挿入溝８の周縁を凹状に形成する。
【００６９】
このように、挿入部４と基部９との脱着のために磁石１４を使用することで、内径の異なるゲージ挿入溝８を形成した挿入部４への交換を極めて容易に行なうことができるようになる。
【００７０】
また、図５（ａ）、（ｂ）に示すピンゲージアダプター１ａは、基準案内孔２６となる周面基準案内孔２９を基部９の周側面に形成すると共に、移動部３３の当接部３４から軸部３６に直交する方向に突設した周面突出部３８を形成し、更に、周面基準案内孔２９の後端側を湾曲した凹状とした把持凹部１５を形成している。
【００７１】
このように形成することで、人差指ｆ２を把持凹部１５に当接させながら親指ｆ１とで挟持して本体部２の周側面を把持して測定を行なえば、測定対象の穴がピンゲージＰの直径と同等以上の場合、周面基準案内孔２９から周面突出部３８が人差指ｆ２方向に移動することはなく、測定対象の穴がピンゲージＰの直径よりも小さい場合、図６に示すように、周面基準案内孔２９から周面突出部３８が人差指ｆ２方向に移動し人差指ｆ２に周面突出部３８が接触するため、挿入しているピンゲージＰが測定対象の穴よりも大きいことを知覚的に判断することができる。
【００７２】
具体的には、周面基準案内孔２９は、基部９の周側面の略中央部を上下方向に略楕円状となるよう穿設し、把持凹部１５は、周面基準案内孔２９の上半部を含むようにして基部９の上方に向けて外観視略円状で断面視湾曲状の滑らかな凹状となるよう周側面を切削して形成している。
【００７３】
また、周面突出部３８は、後端面に六角レンチ等が係合する工具挿入孔３９を形成すると共に先端部に突出雄ネジ４０をなす略円柱状に形成し、当接部３４の周側面の一部に形成した直交雌ネジ孔３５に六角レンチ等で突出雄ネジ４０側を螺入することで軸部３６に直交した周面突出部３８を形成する。
【００７４】
また、周面突出部３８の後端側は常時周面基準案内孔２９から外部に露出しており、初期状態では周面基準案内孔２９の下方側で後端が基部９の周側面と略面一となるよう位置し、負荷が付与されると周面突出部３８が徐々に上方に移動し、負荷が所定量を越えると把持凹部１５の領域まで移動するよう構成している。
【００７５】
従って、周面突出部３８が把持凹部１５の領域に位置すると滑らかな湾曲面に周面突出部３８が突出するように移動するため測定者は指先で周面突出部３８を容易に知覚することができる。
【００７６】
なお、把持凹部１５は、上述のように基部９の一部に形成するのではなく、図７（ａ）、（ｂ）に示すように、基部９の周側面において水平方向に連続して全周に渡り形成することもでき、このように形成することでピンゲージアダプター１ｂの把持をより容易にすることが可能となる。
【００７７】
また、図５、図７に示すピンゲージアダプター１ａにおいて、周面基準案内孔２９を基部９の周側面に複数形成すると共に、周面突出部３８を複数形成することでピンゲージアダプター１ａを把持できる箇所が増えて作業性が向上すると共に、手指への周面突出部３８の接触が更に確実なものとなる。
【００７８】
また、図９に示すピンゲージアダプター１ｄは、２本の調整ボルト２２の進退によりゲージ挿入溝８の内径を可変自在に構成している。
【００７９】
具体的には、図１０、図１１に示すように、上述した挿入部４に相当する箇所まで基部９を伸延して円筒状に形成した後、摺動溝１２から連通するゲージ挿入溝８の中途部、すなわち、ゲージ保持部３１の直下で底面視略半円状となるよう切削して形成した挟持受部１６と、所定厚みで底面視略半円状に独立して形成した挟持片１９とで構成している。
【００８０】
挟持受部１６は、ゲージ保持部３１の直下においてゲージ挿入溝８の一部をなし上下に伸延する湾曲凹状の第一側壁１７を形成すると共に、第一側壁１７の左右に対向して形成した２つの貫通雌ネジ孔１８を有している。
【００８１】
また、挟持片１９は、ゲージ挿入溝８の一部をなし上下に伸延する湾曲凹状の第二側壁２０を形成すると共に、第二側壁２０の左右に対向して形成した２つの貫通ボルト挿入孔２１を有している。
【００８２】
そして、挟持片１９の第二側壁２０が挟持受部１６の第一側壁１７と対峙するように挟持片１９の湾曲周面側から貫通ボルト挿入孔２１を介して２本の調整ボルト２２，２２を挿入して挟持受部１６の貫通雌ネジ孔１８に螺入することで挟持片１９が基部９と一体に構成され、調整ボルト２２の進退により第一側壁１７と第二側壁２０とでなすゲージ挿入溝８の内径を可変させることが可能となる。
【００８３】
以上説明したように、本実施形態に係るピンゲージアダプター１は各種の変形例１（ａ，ｂ，ｃ，ｄ）と共に構成することができる。
【００８４】
このようなピンゲージアダプター１は、人手Ｈで把持可能な外形をなす本体部２と、本体部２に内設した、ゲージ保持部３１と、移動部３３と、付勢部４１と、からなるピンゲージアダプター１であって、本体部２は、先端にピンゲージＰを挿抜自在とするゲージ挿入孔５を形成すると共に、外面には基準案内孔２６を穿設し、ゲージ保持部３１は、ピンゲージＰを保持すると共にピンゲージＰの軸線方向に進退自在に形成し、移動部３３は、ゲージ保持部３１の進退に連動しピンゲージＰの軸線方向に進退自在に形成すると共に、本体部２の後端側に所定長さ移動すると基準案内孔２６から外部へ突出するよう形成した突出部３７を有し、付勢部４１は、移動部３３の進退において移動部３３に本体部２の後端側への移動に抗する付勢力を付与するよう構成したことより、シンプルな構成で安価に製造でき故障等の不具合を気にすることなく、しかも、本体部２を把持した測定者の手指に突出部３７が触れることで規定以上の挿入力でピンゲージＰに負荷を付与していることが知覚できるので、測定者の習熟度等に依存せず合否の判断を容易且つ確実に行なうことができる。
【００８５】
また、基準案内孔２６は、本体部２の後端面に形成したことより、手指を後端面に当接させながら把持して測定を行うだけで規定以上の挿入力でピンゲージＰに負荷を付与すれば可及的に手指に突出部３７が触れるため合否の判断を容易且つ確実に行なうことができる。
【００８６】
また、基準案内孔２６は、本体部２の周側面に形成したことより、手指を周側面に当接させながら把持して測定を行うだけで規定以上の挿入力でピンゲージＰに負荷を付与すれば可及的に手指に突出部３７が触れるため合否の判断を容易且つ確実に行なうことができる。
【００８７】
更に、本体部２は、先端のゲージ挿入孔５から後端に渡り貫通した中空状の本体基部３と、本体基部３の後端と着脱自在に形成した封止部２４と、からなることより、本体基部３の後端からゲージ保持部３１や移動部３３、付勢部４１等の構成部材を挿入して組付けることができ、更に、封止部２４によりこれら部材を本体部２の内部に安定して内設することができる。
【００８８】
しかも、構成部材に不具合が生じた場合や、調整やメンテナンスの際に容易に分解して対応することができる。
【００８９】
また、本体基部３は、ゲージ挿入孔５を含む先端側をなす挿入部４と、挿入部４と封止部２４との間隙をなす基部９と、からなり、挿入部４は基部９と着脱自在に形成し、ゲージ保持部３１は磁石で形成し、付勢部４１は圧縮コイルバネで形成したことより、複数の穴径のゲージ挿入孔５からなる挿入部４を準備することで、使用するピンゲージＰの直径に適切に対応した挿入部４を適宜装着して測定を行なうことができる。
【００９０】
また、磁性材からなるピンゲージＰを用いることでゲージ挿入孔５からピンゲージＰを挿入してゲージ保持部３１に当接させるだけでピンゲージＰを本体部２に保持させることができる。
【００９１】
更に、突出部３７が外部に突出して手指に触れるピンゲージＰの挿入力を規定する際、異なるバネ定数からなる圧縮コイルバネに置き換えるだけで容易に調整することができる。
【００９２】
以上、本発明の好ましい実施形態について説明したが、本発明は係る特定の実施形態に限定されるものではなく、特許請求の範囲に記載された本発明の要旨の範囲内において、種々の変形・変更が可能である。
【符号の説明】
【００９３】
Ｈ  人手
Ｐ  ピンゲージ
１  ピンゲージアダプター
２  本体部
３  本体基部
４  挿入部
５  ゲージ挿入孔
９  基部
２４  封止部
２６  基準案内孔
３１  ゲージ保持部
３３  移動部
３７  突出部
４１  付勢部
【要約】
【課題】シンプルな構成で安価に製造でき故障等の不具合を気にすることなく、しかも、合否の判断を測定者に容易且つ確実に知覚させることができるピンゲージアダプターを提供する。
【解決手段】本発明に係るピンゲージアダプター１は、ゲージ保持部３１と、移動部３３と、付勢部４１と、からなるピンゲージアダプター１であって、本体部２は、外面に基準案内孔２６を穿設し、ゲージ保持部３１は、ピンゲージＰを保持すると共にピンゲージＰの軸線方向に進退自在に形成し、移動部３３は、ゲージ保持部３１の進退に連動しピンゲージＰの軸線方向に進退自在に形成すると共に、本体部２の後端側に所定長さ移動すると基準案内孔２６から外部へ突出するよう形成した突出部３７を有し、付勢部４１は、移動部３３の進退において移動部３３に本体部２の後端側への移動に抗する付勢力を付与するよう構成したことを特徴とする。
【選択図】図１【図１】
0006749682.tif 000002
【図２】
0006749682.tif 000003
【図３】
0006749682.tif 000004
【図４】
0006749682.tif 000005
【図５】
0006749682.tif 000006
【図６】
0006749682.tif 000007
【図７】
0006749682.tif 000008
【図８】
0006749682.tif 000009
【図９】
0006749682.tif 000010
【図１０】
0006749682.tif 000011
【図１１】
0006749682.tif 000012